(57)【要約】【課題】初めて番組を視聴する際であっても視聴制限情報の設定を確実にできるテレビジョン放送受信装置を提供する。【解決手段】テレビジョン放送受信装置１００において、ＣＰＵ１２に、テレビジョン放送波を走査して、番組の映像音声データを視聴可能なチャンネルを順次選局させるオートプリセットプログラム１４Ｄと、テレビジョン放送波に含まれる視聴制限用のＲＲＴを記憶するＲＲＴデータファイル１４Ｂと、ＣＰＵ１２に、オートプリセットする際に、テレビジョン放送波に含まれるＲＲＴを取得し、取得したＲＲＴをＲＲＴデータファイル１４Ｂに記憶させるＲＲＴ取得プログラム１４Ｅと、を備えた。【選択図】図２
2008109470.tif 000002
【特許請求の範囲】
【請求項１】
テレビジョン放送波を受信する受信手段を備え、テレビジョン放送波に含まれる映像音声データにおけるレイティング情報に基づいて視聴制限を行うテレビジョン放送受信装置において、
テレビジョン放送波を走査して、番組の映像音声データを視聴可能なチャンネルを順次選局するオートプリセット手段と、
前記オートプリセット手段により番組の映像音声データを視聴可能なチャンネルを順次選局する際に、テレビジョン放送波に含まれるレイティングテーブルを取得するレイティングテーブル取得手段と、
前記レイティングテーブル取得手段により取得されたレイティングテーブルを記憶するレイティングテーブル記憶手段と、
前記レイティングテーブル取得手段により、レイティングテーブルが取得され、前記レイティングテーブル記憶手段に記憶されたことを示すレイティングテーブル取得完了情報を記憶する完了情報記憶手段と、
前記レイティングテーブル記憶手段に記憶されたレイティングテーブルに基づくレイティング情報を表示部に表示させる表示制御手段と、
前記表示部に表示されたレイティング情報に基づいて、視聴制限情報を設定する設定情報を入力するための入力手段と、
を備え、
前記レイティングテーブル取得手段は、前記オートプリセット手段により番組の映像音声データを含むチャンネルを順次選局する際に、前記完了情報記憶手段にレイティングテーブル取得完了情報が記憶されているか否かを判断し、前記完了情報記憶手段にレイティングテーブル取得完了情報が記憶されていないと判断した場合にのみ、テレビジョン放送波に含まれるレイティングテーブルを取得することを特徴とするテレビジョン放送受信装置。
【請求項２】
テレビジョン放送波を受信する受信手段を備え、テレビジョン放送波に含まれる映像音声データにおけるレイティング情報に基づいて視聴制限を行うテレビジョン放送受信装置において、
テレビジョン放送波を走査して、番組の映像音声データを視聴可能なチャンネルを順次選局するオートプリセット手段と、
前記オートプリセット手段により番組の映像音声データを視聴可能なチャンネルを順次選局する際に、テレビジョン放送波に含まれるレイティングテーブルを取得するレイティングテーブル取得手段と、
前記レイティングテーブル取得手段により取得されたレイティングテーブルを記憶するレイティングテーブル記憶手段と、
を備えることを特徴とするテレビジョン放送受信装置。
【請求項３】
前記レイティングテーブル取得手段により、レイティングテーブルが取得され、前記レイティングテーブル記憶手段に記憶されたことを示すレイティングテーブル取得完了情報を記憶する完了情報記憶手段を備え、
前記レイティングテーブル取得手段は、前記オートプリセット手段により番組の映像音声データを含むチャンネルを順次選局する際に、前記完了情報記憶手段にレイティングテーブル取得完了情報が記憶されているか否かを判断し、前記完了情報記憶手段にレイティングテーブル取得完了情報が記憶されていないと判断した場合にのみ、テレビジョン放送波に含まれるレイティングテーブルを取得し、前記レイティングテーブル記憶手段に記憶させることを特徴とする請求項２に記載のテレビジョン放送受信装置。
【請求項４】
前記レイティングテーブル記憶手段は、当該レイティングテーブル名及び当該レイティングテーブルのバージョンと当該レイティングテーブルとを対応付けて記憶し、
前記レイティングテーブル取得手段により取得されたレイティングテーブルのレイティングテーブル名と、前記レイティングテーブル記憶手段に記憶されているレイティングテーブルのレイティングテーブル名とが一致するか否かを判断するレイティングテーブル名比較手段と、
前記レイティングテーブル名比較手段により、前記レイティングテーブル取得手段により取得されたレイティングテーブルのレイティングテーブル名と、前記レイティングテーブル記憶手段に記憶されているレイティングテーブルのレイティングテーブル名とが一致すると判断された場合に、前記レイティングテーブル取得手段により取得されたレイティングテーブルのバージョンと、前記レイティングテーブル記憶手段に記憶されているレイティングテーブルのバージョンとが一致するか否かを判断するバージョン比較手段と、
を備え、
前記レイティングテーブル取得手段は、前記レイティングテーブル名比較手段により、前記レイティングテーブル取得手段により取得されたレイティングテーブルのレイティングテーブル名と、前記レイティングテーブル記憶手段に記憶されているレイティングテーブルのレイティングテーブル名とが一致しないと判断された場合、及び、前記バージョン比較手段により、前記レイティングテーブル取得手段により取得されたレイティングテーブルのバージョンと、前記レイティングテーブル記憶手段に記憶されているレイティングテーブルのバージョンとが一致しないと判断された場合にのみ、テレビジョン放送波に含まれるレイティングテーブルを取得し、前記レイティングテーブル記憶手段に記憶させることを特徴とする請求項２に記載のテレビジョン放送受信装置。
【請求項５】
前記レイティングテーブル記憶手段に記憶されたレイティングテーブルに基づくレイティング情報を表示部に表示させる表示制御手段と、
前記表示部に表示されたレイティング情報に基づいて、視聴制限情報を設定する設定情報を入力するための入力手段と、
を備えることを特徴とする請求項２〜４の何れか一項に記載のテレビジョン放送受信装置。
【発明の詳細な説明】
【技術分野】
【０００１】
本発明は、テレビジョン放送受信装置に関する。
【背景技術】
【０００２】
従来、暴力的な表現のある番組や猥褻的な表現のある番組を子供が見ないようにするため、放送局側により番組の映像音声データに視聴制限レベルの情報（レイティング情報）を付加し、当該レイティング情報に基づいて、番組の視聴を制限するテレビジョン放送受信装置が知られている（例えば、特許文献１，２）。また、レイティング情報とは別に、チャンネル番号，時間帯，ジャンル等の組み合わせにより視聴制限情報を作成して設定し、当該視聴制限情報に基づいて番組の視聴や記憶，再生を制限するテレビジョン放送記録装置も知られている（例えば、特許文献３）。また、予め設定された暗証番号を入力することにより視聴制限されている番組を視聴できるようにしたテレビジョン放送受信装置も知られている（例えば、特許文献４）。
そして、新たに、従来とは異なるレイティングテーブルとしてＲＲＴ（Rating  Region  Table）が放送データに付加されて送信されることとなり、テレビジョン放送受信装置に当該ＲＲＴに基づいて視聴制限情報を設定できる機能を搭載することが義務付けられることとなった。
【特許文献１】特開２００６−１６６２６３号公報
【特許文献２】特開２０００−１５２２０８号公報
【特許文献３】特開２００１−１４５０３３号公報
【特許文献４】特開平１１−１６４２２１号公報
【発明の開示】
【発明が解決しようとする課題】
【０００３】
しかしながら、通常、視聴制限情報は、番組を視聴しながら当該番組の放送データに付加されているレーティング情報に基づいて設定されるが、ＲＲＴは、６０秒等の一定時間毎に送信されるので、テレビジョン放送受信装置において初めて番組を視聴する際に、ＲＲＴが受信されていない場合には、すぐに視聴制限情報を設定することができない場合が生じてしまう。
上記特許文献１〜４に記載の発明は、番組を視聴しながら視聴制限情報を設定するものであるため、当該問題を解決することができない。
【０００４】
本発明の課題は、初めて番組を視聴する際であっても視聴制限情報の設定を確実にできるテレビジョン放送受信装置を提供することである。
【課題を解決するための手段】
【０００５】
請求項１に記載の発明は、テレビジョン放送波を受信する受信手段を備え、テレビジョン放送波に含まれる映像音声データにおけるレイティング情報に基づいて視聴制限を行うテレビジョン放送受信装置において、
テレビジョン放送波を走査して、番組の映像音声データを視聴可能なチャンネルを順次選局するオートプリセット手段と、
前記オートプリセット手段により番組の映像音声データを視聴可能なチャンネルを順次選局する際に、テレビジョン放送波に含まれるレイティングテーブルを取得するレイティングテーブル取得手段と、
前記レイティングテーブル取得手段により取得されたレイティングテーブルを記憶するレイティングテーブル記憶手段と、
前記レイティングテーブル取得手段により、レイティングテーブルが取得され、前記レイティングテーブル記憶手段に記憶されたことを示すレイティングテーブル取得完了情報を記憶する完了情報記憶手段と、
前記レイティングテーブル記憶手段に記憶されたレイティングテーブルに基づくレイティング情報を表示部に表示させる表示制御手段と、
前記表示部に表示されたレイティング情報に基づいて、視聴制限情報を設定する設定情報を入力するための入力手段と、
を備え、
前記レイティングテーブル取得手段は、前記オートプリセット手段により番組の映像音声データを含むチャンネルを順次選局する際に、前記完了情報記憶手段にレイティングテーブル取得完了情報が記憶されているか否かを判断し、前記完了情報記憶手段にレイティングテーブル取得完了情報が記憶されていないと判断した場合にのみ、テレビジョン放送波に含まれるレイティングテーブルを取得することを特徴としている。
【０００６】
請求項２に記載の発明は、テレビジョン放送波を受信する受信手段を備え、テレビジョン放送波に含まれる映像音声データにおけるレイティング情報に基づいて視聴制限を行うテレビジョン放送受信装置において、
テレビジョン放送波を走査して、番組の映像音声データを視聴可能なチャンネルを順次選局するオートプリセット手段と、
前記オートプリセット手段により番組の映像音声データを視聴可能なチャンネルを順次選局する際に、テレビジョン放送波に含まれるレイティングテーブルを取得するレイティングテーブル取得手段と、
前記レイティングテーブル取得手段により取得されたレイティングテーブルを記憶するレイティングテーブル記憶手段と、
を備えることを特徴としている。
【０００７】
請求項３に記載の発明は、請求項２に記載のテレビジョン放送受信装置において、
前記レイティングテーブル取得手段により、レイティングテーブルが取得され、前記レイティングテーブル記憶手段に記憶されたことを示すレイティングテーブル取得完了情報を記憶する完了情報記憶手段を備え、
前記レイティングテーブル取得手段は、前記オートプリセット手段により番組の映像音声データを含むチャンネルを順次選局する際に、前記完了情報記憶手段にレイティングテーブル取得完了情報が記憶されているか否かを判断し、前記完了情報記憶手段にレイティングテーブル取得完了情報が記憶されていないと判断した場合にのみ、テレビジョン放送波に含まれるレイティングテーブルを取得し、前記レイティングテーブル記憶手段に記憶させることを特徴としている。
【０００８】
請求項４に記載の発明は、請求項２に記載のテレビジョン放送受信装置において、
前記レイティングテーブル記憶手段は、当該レイティングテーブル名及び当該レイティングテーブルのバージョンと当該レイティングテーブルとを対応付けて記憶し、
前記レイティングテーブル取得手段により取得されたレイティングテーブルのレイティングテーブル名と、前記レイティングテーブル記憶手段に記憶されているレイティングテーブルのレイティングテーブル名とが一致するか否かを判断するレイティングテーブル名比較手段と、
前記レイティングテーブル名比較手段により、前記レイティングテーブル取得手段により取得されたレイティングテーブルのレイティングテーブル名と、前記レイティングテーブル記憶手段に記憶されているレイティングテーブルのレイティングテーブル名とが一致すると判断された場合に、前記レイティングテーブル取得手段により取得されたレイティングテーブルのバージョンと、前記レイティングテーブル記憶手段に記憶されているレイティングテーブルのバージョンとが一致するか否かを判断するバージョン比較手段と、
を備え、
前記レイティングテーブル取得手段は、前記レイティングテーブル名比較手段により、前記レイティングテーブル取得手段により取得されたレイティングテーブルのレイティングテーブル名と、前記レイティングテーブル記憶手段に記憶されているレイティングテーブルのレイティングテーブル名とが一致しないと判断された場合、及び、前記バージョン比較手段により、前記レイティングテーブル取得手段により取得されたレイティングテーブルのバージョンと、前記レイティングテーブル記憶手段に記憶されているレイティングテーブルのバージョンとが一致しないと判断された場合にのみ、テレビジョン放送波に含まれるレイティングテーブルを取得し、前記レイティングテーブル記憶手段に記憶させることを特徴としている。
【０００９】
請求項５に記載の発明は、請求項２〜４の何れか一項に記載のテレビジョン放送受信装置において、
前記レイティングテーブル記憶手段に記憶されたレイティングテーブルに基づくレイティング情報を表示部に表示させる表示制御手段と、
前記表示部に表示されたレイティング情報に基づいて、視聴制限情報を設定する設定情報を入力するための入力手段と、
を備えることを特徴としている。
【発明の効果】
【００１０】
請求項１に記載の発明によれば、オートプリセット手段により、テレビジョン放送波が走査されて、番組の映像音声データを視聴可能なチャンネルが順次選局され、レイティングテーブル取得手段により、オートプリセット手段によって番組の映像音声データを視聴可能なチャンネルが順次選局される際に、テレビジョン放送波に含まれるレイティングテーブルが取得され、レイティングテーブル記憶手段により、レイティングテーブル取得手段により取得されたレイティングテーブルが記憶されるので、初めて番組を視聴する場合でも、既にレイティングテーブルが記憶されていることとなって、当該レイティングテーブルに基づいて視聴制限情報を設定することができることとなって、視聴制限情報をより確実に設定することができる。
【００１１】
また、完了情報記憶手段により、レイティングテーブル取得手段によって、レイティングテーブルが取得され、レイティングテーブル記憶手段に記憶されたことを示すレイティングテーブル取得完了情報が記憶され、レイティングテーブル取得手段は、オートプリセット手段によって番組の映像音声データを含むチャンネルを順次選局する際に、完了情報記憶手段にレイティングテーブル取得完了情報が記憶されているか否かを判断し、完了情報記憶手段にレイティングテーブル取得完了情報が記憶されていないと判断した場合にのみ、テレビジョン放送波に含まれるレイティングテーブルを取得し、レイティングテーブル記憶手段に記憶させるので、既にレイティングテーブルを記憶している場合には、無駄にレイティングテーブルを取得しないこととなって、効率がよい。
【００１２】
また、表示制御手段により、レイティングテーブル記憶手段に記憶されたレイティングテーブルに基づいてレイティング情報が表示部に表示され、入力手段により、表示部に表示されたレイティング情報基づいて視聴制限情報を設定する設定情報が入力されるので、レイティングテーブルを取得すると、ユーザがなんら操作することなくレイティングテーブルに基づくレイティング情報が表示部に表示され、当該表示において、視聴制限情報が設定することができるので、より使い勝手がよい。
【００１３】
請求項２に記載の発明によれば、オートプリセット手段により、テレビジョン放送波が走査されて、番組の映像音声データを視聴可能なチャンネルが順次選局され、レイティングテーブル取得手段により、オートプリセット手段によって番組の映像音声データを視聴可能なチャンネルが順次選局される際に、テレビジョン放送波に含まれるレイティングテーブルが取得され、レイティングテーブル記憶手段により、レイティングテーブル取得手段により取得されたレイティングテーブルが記憶されるので、初めて番組を視聴する場合でも、既にレイティングテーブルが記憶されていることとなって、当該レイティングテーブルに基づいて視聴制限情報を設定することができることとなって、視聴制限情報をより確実に設定することができる。
【００１４】
請求項３に記載の発明によれば、請求項２に記載の発明と同様の効果が得られることは勿論のこと、特に、完了情報記憶手段により、レイティングテーブル取得手段によって、レイティングテーブルが取得され、レイティングテーブル記憶手段に記憶されたことを示すレイティングテーブル取得完了情報が記憶され、レイティングテーブル取得手段は、オートプリセット手段によって番組の映像音声データを含むチャンネルを順次選局する際に、完了情報記憶手段にレイティングテーブル取得完了情報が記憶されているか否かを判断し、完了情報記憶手段にレイティングテーブル取得完了情報が記憶されていないと判断した場合にのみ、テレビジョン放送波に含まれるレイティングテーブルを取得し、レイティングテーブル記憶手段に記憶させるので、既にレイティングテーブルを記憶している場合には、無駄にレイティングテーブルを取得しないこととなって、効率がよい。
【００１５】
請求項４に記載の発明によれば、請求項２に記載の発明と同様の効果が得られることは勿論のこと、特に、レイティングテーブル記憶手段により、当該レイティングテーブル名及び当該レイティングテーブルのバージョンと当該レイティングテーブルとが対応付けられて記憶され、レイティングテーブル名比較手段により、レイティングテーブル取得手段によって取得されたレイティングテーブルのレイティングテーブル名と、レイティングテーブル記憶手段に記憶されているレイティングテーブルのレイティングテーブル名とが一致するか否かが判断され、バージョン比較手段により、レイティングテーブル名比較手段によって、レイティングテーブル取得手段によって取得されたレイティングテーブルのレイティングテーブル名と、レイティングテーブル記憶手段に記憶されているレイティングテーブルのレイティングテーブル名とが一致すると判断された場合に、レイティングテーブル取得手段によって取得されたレイティングテーブルのバージョンと、レイティングテーブル記憶手段に記憶されているレイティングテーブルのバージョンとが一致するか否かが判断され、レイティングテーブル取得手段により、レイティングテーブル名比較手段によって、レイティングテーブル取得手段によって取得されたレイティングテーブルのレイティングテーブル名と、レイティングテーブル記憶手段に記憶されているレイティングテーブルのレイティングテーブル名とが一致しないと判断された場合、及び、バージョン比較手段によって、レイティングテーブル取得手段によって取得されたレイティングテーブルのバージョンと、レイティングテーブル記憶手段に記憶されているレイティングテーブルのバージョンとが一致しないと判断された場合にのみ、テレビジョン放送波に含まれるレイティングテーブルが取得されて、レイティングテーブル記憶手段に記憶されるので、受信したレイティングテーブルが既に記憶されているか否かが、レーティングテーブルのレイティング名及びバージョンに基づいて判断され、受信したレーティングテーブルが既に記憶されている場合にはレーティングテーブル記憶手段が更新されないこととなって、無駄にレーティングテーブル記憶手段を更新することを防ぐことができる。
【００１６】
請求項５に記載の発明によれば、請求項２〜４の何れか一項に記載の発明と同様の効果が得られることは勿論のこと、特に、表示制御手段により、レイティングテーブル記憶手段に記憶されたレイティングテーブルに基づいてレイティング情報が表示部に表示され、入力手段により、表示部に表示されたレイティング情報基づいて視聴制限情報を設定する設定情報が入力されるので、レイティングテーブルを取得すると、ユーザがなんら操作することなくレイティングテーブルに基づくレイティング情報が表示部に表示され、当該表示において、視聴制限情報が設定することができるので、より使い勝手がよい。
【発明を実施するための最良の形態】
【００１７】
以下、図を参照して、本発明に係るテレビジョン放送受信装置を実施するための最良の形態を詳細に説明する。
【００１８】
（第１の実施形態）
まず、本発明の第１の実施形態に係るテレビジョン放送受信装置１００の構成について図１，図２を参照しながら説明する。本実施形態に係るテレビジョン放送受信装置１００は、例えば、図１，図２に示すように、アンテナ１，チューナ部２，復調部３，デコーダ４，検出部５，音声処理部６，映像処理部７，音出力部８，表示部９，リモコン受信回路１０，リモコンＲ，制御部１１等を備えて構成されている。
【００１９】
アンテナ１は、例えば、パラボラアンテナやＵＨＦアンテナ等であり、地上波アナログ放送，地上波デジタル放送，ＢＳ・ＣＳ放送等のテレビジョン放送信号を含む放送波を受信し、地上波アナログ信号，地上波デジタル信号，ＢＳ・ＣＳ放送信号等のＲＦ信号をチューナ部２に出力する。これにより、アンテナ１は、受信手段として機能する。なお、ＣＡＴＶ回線を介して放送波を受信する場合には、接続ケーブル（図示省略）等が備えられてもよい。
【００２０】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２１】
復調部３は、例えば、チューナ部２から入力されるデジタルデータに復調処理等を行って、デコーダ４に出力する。
【００２２】
デコーダ４は、例えば、復調部３から入力されるデジタルデータに復号処理等を行って番組の映像音声データ（映像データ及び音声データ）とレイティング情報とを生成し、検出部５に出力する。ここで、レイティング情報とは、番組の視聴制限レベルに関する情報である。
より具体的には、従来のレイティング情報としては、例えば、ＭＰＡＡ（Motion  Picture  Association  of  America）により定められるもの、TV  Parental  Guidelinesにより定められるもの等が知られている。そして、これらのレイティング情報は、例えば、年齢により各番組の視聴制限レベルを表すものと、番組の内容により各番組の視聴制限レベルを表すものとがある。
また、新たに、デジタル放送に特有のレイティング情報（例えば、米国における、V-Chip2,0など）としてレイティングテーブルが制定された。レイティングテーブルとしては、例えば、ＲＲＴ（Rating  Region  Table）が挙げられる。ＲＲＴは、例えば、図３に示すように、従来のレイティング情報とは異なり、番組のジャンル等により定められるレイティング項目（例えば、ニュース、映画等のジャンルなど）と、各レイティング項目毎に定められるレイティングレベルと、により、各番組の視聴制限レベルを表す。
また、ＲＲＴでは、各レイティング項目毎に、視聴制限の方法（ブロックタイプ）が定められている。ブロックタイプがオーダーという場合は、指定したレイティングレベル以上のレベルは全て視聴制限され、ブロックタイプがカテゴリという場合は、指定したレイティングレベルのみが視聴制限されるようになっている。また、ブロックタイプがオーダーである場合のレイティングレベルは、例えば、従来のアナログ放送に使用されている年齢により表されるレイティングレベルと同様のものである。また、ブロックタイプがカテゴリである場合のレイティングレベルは、例えば、従来のアナログ放送に使用されている番組の内容により表されるレイティングレベルと同様のものである。
また、ＲＲＴは、例えば、放送局毎に更新されるため、ＲＲＴ名及びバージョン番号（図３におけるバージョンＮｏ．）により識別されるようになっている。
【００２３】
検出部５は、制御部１３から入力される制御信号により制御されて、デコーダ４から出力される復号化データからレイティング情報を検出する。
【００２４】
音声処理部６は、例えば、ミュート回路（図示省略）等を備えて構成され、制御部１３から入力される制御信号により制御されて、デコーダ４から出力される音声データに対して、ミュート処理等を行う。
【００２５】
映像処理部７は、例えば、ミュート回路（図示省略）等を備えて構成され、制御部１３から入力される制御信号により制御されて、デコーダ４から出力される映像データに対して、ミュート処理等を行う。また、映像処理部７は、例えば、制御部１３から入力される制御信号により制御されて、表示部９にレイティング情報を表示させるためのＯＳＤ表示データをデコーダ４から出力される映像データに合成する。
【００２６】
音出力部８は、例えば、スピーカ等を備えて構成され、音声処理部６から出力される音声データに基づく音声を出力する。
【００２７】
表示部９は、例えば、ＬＣＤ（Liquid  Crystal  Display）やＰＤＰ（Plasma  Display  Panel）等を備えて構成され、映像処理部７から出力される映像データに基づく映像を表示する。
【００２８】
リモコン受信回路１０は、例えば、リモコンＲから出力された操作信号を制御部１１に出力する。より具体的には、リモコン受信回路１０は、リモコンＲからの赤外線信号を電気信号に変換し、制御部１１に出力する。
【００２９】
リモコンＲは、例えば、各種の操作信号を入力するための各種のキー等を備え、ユーザにより操作されることによって、各種の操作信号をリモコン受信回路１０を介して制御部１１に出力する。
より具体的には、リモコンＲは、例えば、表示部９にレイティング情報が表示されている際に、当該レイティング情報に基づいて視聴制限情報を設定する設定情報を入力し、入力手段として機能する。
【００３０】
制御部１１は、例えば、図２に示すように、ＣＰＵ（Central  Processing  Unit）１２，ＲＡＭ（Random  Access  Memory）１３，記憶部１４等を備えて構成される。
【００３１】
ＣＰＵ１２は、例えば、記憶部１４に格納された処理プログラム等を読み出して、ＲＡＭ１３に展開して実行することにより、テレビジョン放送受信装置１００全体の制御を行う。
【００３２】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３３】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がテレビジョン放送受信装置１００全体を制御する機能を実現させるための各種データ，各種処理プログラム，これらプログラムの実行により処理されたデータ等を記憶する。より具体的には、記憶部１４は、例えば、図２に示すように、選局データファイル１４Ａ，ＲＲＴデータファイル１４Ｂ，視聴制限データファイル１４Ｃ，オートプリセットプログラム１４Ｄ，ＲＲＴ取得プログラム１４Ｅ，表示制御プログラム１４Ｆ，チャンネル登録プログラム１４Ｇ等を格納している。
【００３４】
選局データファイル１４Ａは、例えば、ＣＰＵ１２がオートプリセットプログラム１４Ｄを実行することにより選局した、番組の映像音声データが視聴可能なチャンネルの周波数及びチャンネル番号を記憶している。
【００３５】
ＲＲＴデータファイル１４Ｂは、例えば、テレビジョン放送波に含まれる視聴制限用のレイティングテーブルとしてのＲＲＴを記憶している。ＲＲＴは、ＣＰＵ１２がＲＲＴ取得プログラム１４Ｅを実行することにより取得される。記憶部１４は、かかるＲＲＴデータファイル１４Ｂを格納することにより、レイティングテーブル記憶手段として機能する。
また、ＲＲＴデータファイル１４Ｂは、例えば、ＣＰＵ１２がＲＲＴ取得プログラム１４Ｅを実行することにより、ＲＲＴが取得され、ＲＲＴデータファイル１４Ｂに記憶されたことを示すレイティングテーブル取得完了情報としてのフラグを記憶している。記憶部１４は、かかるＲＲＴデータファイル１４Ｂを格納することにより、完了情報記憶手段として機能する。
【００３６】
視聴制限データファイル１４Ｃは、例えば、リモコンＲから入力される視聴制限情報を記憶している。テレビジョン放送受信装置１００では、視聴制限データファイル１４Ｃに記憶されている視聴制限情報に基づいて、視聴制限が行われるようになっている。
【００３７】
オートプリセットプログラム１４Ｄは、例えば、ＣＰＵ１２に、テレビジョン放送波を走査して、番組の映像音声データを視聴可能なチャンネルを順次選局する機能を実現させるプログラムである。また、オートプリセットプログラム１４Ｄは、ＣＰＵ１２に、オートプリセットによる選局を開始する際に、ＲＲＴデータファイル１４Ｂに記憶されているフラグを消去する機能を実現させるプログラムである。ＣＰＵ１２は、かかるオートプリセットプログラム１４Ｄを実行することにより、オートプリセット手段として機能する。
【００３８】
ＲＲＴ取得プログラム１４Ｅは、例えば、ＣＰＵ１２に、オートプリセットプログラム１４Ｄを実行することにより番組の映像音声データを視聴可能なチャンネルを順次選局する際に、テレビジョン放送波に含まれるＲＲＴを取得し、取得したＲＲＴをＲＲＴデータファイル１４Ｂに記憶させる機能を実現させるプログラムである。
より具体的には、ＲＲＴ取得プログラム１４Ｅは、例えば、ＣＰＵ１２に、オートプリセットプログラム１４Ｄを実行することにより番組の映像音声データを視聴可能なチャンネルを順次選局する際に、ＲＲＴデータファイル１４Ｂを参照して、フラグが記憶されているか否かを判断し、ＲＲＴデータファイル１４Ｂにフラグが記憶されていないと判断した場合にのみ、テレビジョン放送波に含まれるＲＲＴを取得し、取得したＲＲＴをＲＲＴデータファイル１４Ｂに記憶させる機能を実現させるプログラムである。
ＣＰＵ１２は、かかるＲＲＴ取得プログラム１４Ｅを実行することにより、レイティングテーブル取得手段として機能する。
【００３９】
表示制御プログラム１４Ｆは、例えば、ＣＰＵ１２に、ＲＲＴ取得プログラム１４Ｅを実行することにより取得され、ＲＲＴデータファイル１４Ｂに記憶されたＲＲＴに基づくレイティング情報を、表示部９に表示させる機能を実現させるプログラムである。ＣＰＵ１２は、かかる表示制御プログラム１４Ｆを実行することにより、表示制御手段として機能する。
【００４０】
ＣＰＵ１２が、表示制御プログラム１４Ｆを実行することにより表示部９に表示されるレイティング情報の一例を図４に示す。図４（ａ）では、ＲＲＴのＲＲＴ名，レイティング項目、及び、各種操作ボタンが表示されている。そして、例えば、図４（ａ）に示す表示画面においてリモコンＲの矢印キー（図示省略）を押下して所望のレイティング項目を選択し決定キー（図示省略）を押下することにより、視聴制限設定を行うレイティング項目を選択できるようになっている。
図４（ａ）に示す表示画面において、リモコンＲから視聴制限設定を行うレイティング項目を選択する操作信号が入力されると、例えば、図４（ｂ）に示す表示画面に切り換わるようになっている。図４（ｂ）では、図４（ａ）において選択されたレイティング項目名（例えば、ＴＶ−ＡＡ：映画），当該レイティング項目において設定できるレイティングレベル、及び、各種操作ボタンが表示されている。そして、例えば、図４（ｂ）に示す表示画面においてリモコンＲの矢印キー（図示省略）を押下して所望のレイティングレベルを選択し決定キー（図示省略）を押下することにより、視聴制限を行うレイティングレベルを選択できるようになっている。また、図４（ｂ）に示す表示画面において、リモコンＲから視聴制限を行うレイティングレベルを選択する操作信号が入力されると、例えば、選択されたレイティングレベルの横に鍵穴マークが表示されるようになっている。ここで、例えば、図４（ａ）において選択されたレイティング項目：ＴＶ−ＡＡ（例えば、映画）のブロックタイプはオーダーとなっているので、図４（ｂ）に示す表示画面において、リモコンＲから視聴制限を行うレイティングレベルとして選択されたレイティングレベル：ＹＹＹ以上のレイティングレベル全てに鍵穴マークが表示される。
【００４１】
チャンネル登録プログラム１４Ｇは、例えば、ＣＰＵ１２に、オートプリセットプログラム１４Ｄを実行することにより、選局したチャンネルの周波数及びチャンネル番号を選局データファイル１４Ａに記憶させる機能を実現させるプログラムである。
【００４２】
次に、上述のような構成のテレビジョン放送受信装置１００のオートプリセット動作について図５に示すフローチャートを参照しながら説明する。
まず、リモコンＲから、オートプリセットを開始する操作信号が入力されると、ＣＰＵ１２は、オートプリセットプログラム１４Ｄを実行することにより、ＲＲＴデータファイル１４Ｂに記憶されているフラグを消去する（ステップＳ１）。
【００４３】
次に、ＣＰＵ１２は、オートプリセットプログラム１４Ｄの実行に基づいて、テレビジョン放送波を走査して、番組の映像音声データを視聴可能なチャンネルを順次選局するオートプリセットを開始する（ステップＳ２）。
【００４４】
次に、ＣＰＵ１２は、オートプリセットプログラム１４Ｄの実行に基づいて、選局したチャンネルのテレビジョン放送信号から映像音声データを生成可能か否かを判断することにより、当該テレビジョン放送信号が視聴可能か否かを判断する（ステップＳ３）。
【００４５】
ステップＳ３において、ＣＰＵ１２が、選局したチャンネルのテレビジョン放送信号が視聴不可能であると判断した場合には（ステップＳ３；Ｎｏ）、ステップＳ１０に進む。
ステップＳ３において、ＣＰＵ１２が、選局したチャンネルのテレビジョン放送信号が視聴可能であると判断した場合には（ステップＳ３；Ｙｅｓ）、ＣＰＵ１２は、チャンネル登録プログラム１４Ｇを実行することにより、当該チャンネルの周波数及びチャンネル番号を選局データファイル１４Ａに記憶させる（ステップＳ４）。
【００４６】
次に、ＣＰＵ１２は、ＲＲＴ取得プログラム１４Ｅを実行することにより、ＲＲＴデータファイル１４Ｂを参照して、フラグが記憶されているか否かを判断する（ステップＳ５）。
【００４７】
ステップＳ５において、ＣＰＵ１２が、ＲＲＴデータファイル１４Ｂにフラグが記憶されていると判断した場合には（ステップＳ５；Ｙｅｓ）、ステップＳ１０に進む。
ステップＳ５において、ＣＰＵ１２が、ＲＲＴデータファイル１４Ｂにフラグが記憶されていないと判断した場合には（ステップＳ５；Ｎｏ）、ＣＰＵ１２は、ＲＲＴ取得プログラム１４Ｅの実行に基づいて、テレビジョン放送波に含まれるＲＲＴの検索を開始し、ＲＲＴが取得したか否かを判断する（ステップＳ６）。
【００４８】
ステップＳ６において、ＣＰＵ１２が、ＲＲＴを取得していないと判断した場合には（ステップＳ６；Ｎｏ）、ＣＰＵ１２は、ＲＲＴ取得プログラム１４Ｅの実行に基づいて、ＲＲＴの検索を開始してから所定時間が経過したか否かを判断する（ステップＳ７）。
【００４９】
ステップＳ７において、ＣＰＵ１２が、ＲＲＴの検索を開始してから所定時間が経過していないと判断した場合には（ステップＳ７；Ｎｏ）、ステップＳ６に戻る。
ステップＳ７において、ＣＰＵ１２が、ＲＲＴの検索を開始してから所定時間が経過したと判断した場合には（ステップＳ７；Ｙｅｓ）、ステップＳ１０に進む。
【００５０】
ステップＳ６において、ＣＰＵ１２が、ＲＲＴを取得したと判断した場合には（ステップＳ６；Ｙｅｓ）、取得したＲＲＴをＲＲＴデータファイル１４Ｂに記憶するとともに、表示制御プログラム１４Ｆを実行することにより、表示部９を制御して、当該ＲＲＴに基づくレイティング情報を表示させる（ステップＳ８）。
【００５１】
次に、ＣＰＵ１２は、ＲＲＴ取得プログラム１４Ｅの実行に基づいて、ＲＲＴデータファイル１４Ｂにフラグを記憶させる（ステップＳ９）。
【００５２】
次に、ＣＰＵ１２は、オートプリセットプログラム１４Ｄの実行に基づいて、選局するチャンネル番号を＋１する（ステップＳ１０）。
【００５３】
次に、ＣＰＵ１２は、全チャンネルの選局が完了したか否か、即ち、チャンネル番号が最大のチャンネル番号に達したか否かを判断する（ステップＳ１１）。
【００５４】
ステップＳ１１において、ＣＰＵ１２が、全チャンネルの選局が完了していないと判断した場合には（ステップＳ１１；Ｎｏ）、ステップＳ２へ戻る。
ステップＳ１１において、ＣＰＵ１２が、全チャンネルの選局が完了したと判断した場合には（ステップＳ１１；Ｙｅｓ）、本処理を終了する。
【００５５】
以上に説明した本発明の第１の実施形態に係るテレビジョン放送受信装置１００によれば、ＣＰＵ１２がオートプリセットプログラム１４Ｄを実行することにより、テレビジョン放送波が走査されて、番組の映像音声データを視聴可能なチャンネルが順次選局され、ＣＰＵ１２が、ＲＲＴ取得プログラム１４Ｅを実行することにより、オートプリセットプログラム１４Ｄを実行することによって番組の映像音声データを視聴可能なチャンネルが順次選局される際に、テレビジョン放送波に含まれるＲＲＴが取得され、ＲＲＴデータファイル１４Ｂにより、ＣＰＵ１２が、ＲＲＴ取得プログラム１４Ｅを実行することによって取得したＲＲＴが記憶されるので、初めて番組を視聴する場合でも、既にＲＲＴが記憶されていることとなって、当該ＲＲＴに基づいて視聴制限情報を設定することができることとなって、視聴制限情報をより確実に設定することができる。
【００５６】
また、ＲＲＴデータファイル１４Ｂにより、ＣＰＵ１２がＲＲＴ取得プログラム１４Ｅを実行することによって、ＲＲＴが取得され、ＲＲＴデータファイル１４Ｂに記憶されたことを示すフラグが記憶され、ＣＰＵ１２は、ＲＲＴ取得プログラム１４Ｅを実行することにより、オートプリセットプログラム１４Ｄを実行することによって番組の映像音声データを含むチャンネルを順次選局する際に、ＲＲＴデータファイル１４Ｂにフラグが記憶されているか否かを判断し、ＲＲＴデータファイル１４Ｂにフラグが記憶されていないと判断した場合にのみ、テレビジョン放送波に含まれるＲＲＴを取得し、ＲＲＴデータファイル１４Ｂに記憶させるので、既にＲＲＴを記憶している場合には、無駄にＲＲＴを取得しないこととなって、効率がよい。
【００５７】
また、ＣＰＵ１２が、表示制御プログラム１４Ｆを実行することにより、ＲＲＴデータファイル１４Ｂに記憶されたＲＲＴに基づくレイティング情報が表示部９に表示され、リモコンＲにより、表示部９に表示されたレイティング情報に基づいて視聴制限情報を設定する設定情報が入力されるので、ＲＲＴを取得すると、ユーザがなんら操作することなくＲＲＴに基づくレイティング情報が表示部９に表示され、当該表示において、視聴制限情報が設定することができるので、より使い勝手がよい。
【００５８】
（第２の実施形態）
本発明の第２の実施形態に係るテレビジョン放送受信装置２００は、例えば、図６に示すように、記憶部１４０の構成のみが第１の実施形態に係るテレビジョン放送受信装置１００と異なるので、同一の構成については、同一の符号を付すとともに、その説明を省略する。
【００５９】
記憶部１４０は、例えば、プログラムやデータ等が予め記憶されている記録媒体（図示せず）を有しており、この記録媒体は、例えば、半導体メモリ等で構成されている。また、記憶部１４０は、ＣＰＵ１２がテレビジョン放送受信装置２００全体を制御する機能を実現させるための各種データ，各種処理プログラム，これらプログラムの実行により処理されたデータ等を記憶する。より具体的には、記憶部１４０は、例えば、図６に示すように、選局データファイル１４Ａ，ＲＲＴデータファイル１４Ｂ，視聴制限データファイル１４Ｃ，オートプリセットプログラム１４Ｄ，ＲＲＴ名比較プログラム１４０Ａ，バージョン比較プログラム１４０Ｂ，ＲＲＴ取得プログラム１４０Ｃ，表示制御プログラム１４Ｆ，チャンネル登録プログラム１４Ｇ等を格納している。
【００６０】
ＲＲＴ名比較プログラム１４０Ａは、例えば、ＣＰＵ１２に、ＲＲＴ取得プログラム１４０Ｃを実行することにより、取得したＲＲＴのＲＲＴ名と、ＲＲＴデータファイル１４Ｂに記憶されているＲＲＴ名とが一致するか否かを判断する機能を実現させるプログラムである。ＣＰＵ１２は、かかるＲＲＴ名比較プログラム１４０Ａを実行することにより、レイティングテーブル名比較手段として機能する。
【００６１】
バージョン比較プログラム１４０Ｂは、例えば、ＣＰＵ１２に、ＲＲＴ名比較プログラム１４０Ａを実行することにより、ＲＲＴ取得プログラム１４０Ｃを実行することにより取得されたＲＲＴのＲＲＴ名と、ＲＲＴデータファイル１４Ｂに記憶されているＲＲＴのＲＲＴ名とが一致すると判断された場合に、ＲＲＴ取得プログラム１４０Ｃにより取得されたＲＲＴのバージョンと、ＲＲＴデータファイル１４Ｂに記憶されているＲＲＴのバージョンとが一致するか否かを判断する機能を実現させるプログラムである。ＣＰＵ１２は、かかるバージョン比較プログラム１４０Ｂを実行することにより、バージョン比較手段として機能する。
【００６２】
ＲＲＴ取得プログラム１４０Ｃは、例えば、ＣＰＵ１２に、ＣＰＵ１２に、オートプリセットプログラム１４Ｄを実行することにより番組の映像音声データを視聴可能なチャンネルを順次選局する際に、テレビジョン放送波に含まれるＲＲＴを取得し、取得したＲＲＴをＲＲＴデータファイル１４Ｂに記憶させる機能を実現させるプログラムである。
より具体的には、ＲＲＴ取得プログラム１４０Ｃは、例えば、ＣＰＵ１２に、オートプリセットプログラム１４Ｄを実行することにより番組の映像音声データを視聴可能なチャンネルを順次選局する際に、テレビジョン放送波に含まれるＲＲＴを取得し、ＲＲＴ名比較プログラム１４０Ａ及びバージョン比較プログラム１４０Ｂを実行することにより、取得したＲＲＴのＲＲＴ名がＲＲＴデータファイル１４Ｂに記憶されているＲＲＴのＲＲＴ名と異なると判断した場合及び取得したＲＲＴのバージョンとＲＲＴデータファイル１４Ｂに記憶されているＲＲＴのバージョンとが一致しないと判断した場合に、取得した当該ＲＲＴをＲＲＴデータファイル１４Ｂに記憶させる機能を実現させるプログラムである。
ＣＰＵ１２は、かかるＲＲＴ取得プログラム１４０Ｃを実行することにより、レイティングテーブル取得手段として機能する。
【００６３】
次に、上述のような構成のテレビジョン放送受信装置２００のオートプリセット動作について図７に示すフローチャートを参照しながら説明する。
まず、リモコンＲから、オートプリセットを開始する操作信号が入力されると、ＣＰＵ１２は、オートプリセットプログラム１４Ｄを実行することにより、テレビジョン放送波を走査して、番組の映像音声データを視聴可能なチャンネルを順次選局するオートプリセットを開始する（ステップＳ１０１）。
【００６４】
次に、ＣＰＵ１２は、オートプリセットプログラム１４Ｄの実行に基づいて、選局したチャンネルのテレビジョン放送信号から映像音声データを生成可能か否かを判断することにより、当該テレビジョン放送信号が視聴可能か否かを判断する（ステップＳ１０２）。
【００６５】
ステップＳ１０２において、ＣＰＵ１２が、選局したチャンネルのテレビジョン放送信号が視聴不可能であると判断した場合には（ステップＳ１０２；Ｎｏ）、ステップＳ１０９に進む。
ステップＳ１０２において、ＣＰＵ１２が、選局したチャンネルのテレビジョン放送信号が視聴可能であると判断した場合には（ステップＳ１０２；Ｙｅｓ）、ＣＰＵ１２は、チャンネル登録プログラム１４Ｇを実行することにより、当該チャンネルの周波数及びチャンネル番号を選局データファイル１４Ａに記憶させる（ステップＳ１０３）。
【００６６】
次に、ＣＰＵ１２は、ＲＲＴ取得プログラム１４０Ｃを実行することにより、テレビジョン放送波に含まれるＲＲＴの検索を開始し、ＲＲＴが取得したか否かを判断する（ステップＳ１０４）。
【００６７】
ステップＳ１０４において、ＣＰＵ１２が、ＲＲＴを取得していないと判断した場合には（ステップＳ１０４；Ｎｏ）、ＣＰＵ１２は、ＲＲＴ取得プログラム１４０Ｃの実行に基づいて、ＲＲＴの検索を開始してから所定時間が経過したか否かを判断する（ステップＳ１０５）。
【００６８】
ステップＳ１０５において、ＣＰＵ１２が、ＲＲＴの検索を開始してから所定時間が経過していないと判断した場合には（ステップＳ１０５；Ｎｏ）、ステップＳ１０４に戻る。
ステップＳ１０５において、ＣＰＵ１２が、ＲＲＴの検索を開始してから所定時間が経過したと判断した場合には（ステップＳ１０５；Ｙｅｓ）、ステップＳ１０９に進む。
【００６９】
ステップＳ１０４において、ＣＰＵ１２が、ＲＲＴを取得したと判断した場合には（ステップＳ１０４；Ｙｅｓ）、ＣＰＵ１２は、ＲＲＴ名比較プログラム１４０Ａを実行することにより、ＲＲＴ取得プログラム１４０Ｃを実行することにより取得されたＲＲＴのＲＲＴ名と、ＲＲＴデータファイル１４Ｂに記憶されているＲＲＴのＲＲＴ名とが一致するか否かを判断する（ステップＳ１０６）。
【００７０】
ステップＳ１０６において、ＣＰＵ１２が、ＲＲＴ取得プログラム１４０Ｃを実行することにより取得されたＲＲＴのＲＲＴ名と、ＲＲＴデータファイル１４Ｂに記憶されているＲＲＴのＲＲＴ名とが一致しないと判断した場合には（ステップＳ１０６；Ｎｏ）、ステップＳ１０８に進む。
ステップＳ１０６において、ＣＰＵ１２が、ＲＲＴ取得プログラム１４０Ｃを実行することにより取得されたＲＲＴのＲＲＴ名と、ＲＲＴデータファイル１４Ｂに記憶されているＲＲＴのＲＲＴ名とが一致すると判断した場合には（ステップＳ１０６；Ｙｅｓ）、ＣＰＵ１２は、バージョン比較プログラム１４０Ｂを実行することにより、ＲＲＴ取得プログラム１４０Ｃにより取得されたＲＲＴのバージョンと、ＲＲＴデータファイル１４Ｂに記憶されているＲＲＴのバージョンとが一致するか否かを判断する（ステップＳ１０７）。
【００７１】
ステップＳ１０７において、ＣＰＵ１２が、ＲＲＴ取得プログラム１４０Ｃを実行することにより取得されたＲＲＴのバージョンと、ＲＲＴデータファイル１４Ｂに記憶されているＲＲＴのバージョンとが一致すると判断した場合には（ステップＳ１０７；Ｙｅｓ）、ステップＳ１０９に進む。
ステップＳ１０７において、ＣＰＵ１２が、ＲＲＴ取得プログラム１４０Ｃを実行することにより取得されたＲＲＴのバージョンと、ＲＲＴデータファイル１４Ｂに記憶されているＲＲＴのバージョンとが一致しないと判断した場合には（ステップＳ１０７；Ｎｏ）、ＣＰＵ１２は、ＲＲＴ取得プログラム１４０Ｃの実行に基づいて、取得したＲＲＴをＲＲＴデータファイル１４Ｂに記憶するとともに、表示制御プログラム１４Ｆを実行することにより、表示部９を制御して、当該ＲＲＴに基づくレイティング情報を表示させる（ステップＳ１０８）。
【００７２】
次に、ＣＰＵ１２は、オートプリセットプログラム１４Ｄの実行に基づいて、選局するチャンネル番号を＋１する（ステップＳ１０９）。
【００７３】
次に、ＣＰＵ１２は、全チャンネルの選局が完了したか否か、即ち、チャンネル番号が最大のチャンネル番号に達したか否かを判断する（ステップＳ１１０）。
【００７４】
ステップＳ１１０において、ＣＰＵ１２が、全チャンネルの選局が完了していないと判断した場合には（ステップＳ１１０；Ｎｏ）、ステップＳ１０１へ戻る。
ステップＳ１１０において、ＣＰＵ１２が、全チャンネルの選局が完了したと判断した場合には（ステップＳ１１０；Ｙｅｓ）、本処理を終了する。
【００７５】
以上に説明した本発明の第２の実施形態に係るテレビジョン放送受信装置２００によれば、ＣＰＵ１２が、オートプリセットプログラム１４Ｄを実行することにより、テレビジョン放送波が走査されて、番組の映像音声データを視聴可能なチャンネルが順次選局され、ＣＰＵ１２がＲＲＴ取得プログラム１４０Ｃを実行することにより、オートプリセットプログラム１４Ｄを実行することによって番組の映像音声データを視聴可能なチャンネルが順次選局される際に、テレビジョン放送波に含まれるＲＲＴが取得され、ＲＲＴデータファイル１４Ｂにより、ＣＰＵ１２がＲＲＴ取得プログラム１４０Ｃを実行することによって取得したＲＲＴが記憶されるので、初めて番組を視聴する場合でも、既にＲＲＴが記憶されていることとなって、当該ＲＲＴに基づいて視聴制限情報を設定することができることとなって、視聴制限情報をより確実に設定することができる。
【００７６】
また、ＲＲＴデータファイル１４Ｂにより、当該ＲＲＴ名及び当該ＲＲＴのバージョンと当該ＲＲＴとが対応付けられて記憶され、ＣＰＵ１２が、ＲＲＴ名比較プログラム１４０Ａを実行することにより、ＲＲＴ取得プログラム１４０Ｃを実行することによって取得したＲＲＴのＲＲＴ名と、ＲＲＴデータファイル１４Ｂに記憶されているＲＲＴのＲＲＴ名とが一致するか否かが判断され、ＣＰＵ１２が、バージョン比較プログラム１４０Ｂを実行することにより、ＲＲＴ名比較プログラム１４０Ａを実行することによって、ＲＲＴ取得プログラム１４０Ｃを実行することによって取得したＲＲＴのＲＲＴ名と、ＲＲＴデータファイル１４Ｂに記憶されているＲＲＴのＲＲＴ名とが一致すると判断された場合に、ＲＲＴ取得プログラム１４０Ｃを実行することによって取得したＲＲＴのバージョンと、ＲＲＴデータファイル１４Ｂに記憶されているＲＲＴのバージョンとが一致するか否かが判断され、ＣＰＵ１２が、ＲＲＴ取得プログラム１４０Ｃを実行することにより、ＲＲＴ名比較プログラム１４０Ａを実行することによって、ＲＲＴ取得プログラム１４０Ｃを実行することによって取得したＲＲＴのＲＲＴ名と、ＲＲＴデータファイル１４Ｂに記憶されているＲＲＴのＲＲＴ名とが一致しないと判断された場合、及び、バージョン比較プログラム１４０Ｂを実行することによって、ＲＲＴ取得プログラム１４０Ｃを実行することによって取得されたＲＲＴのバージョンと、ＲＲＴデータファイル１４Ｂに記憶されているＲＲＴのバージョンとが一致しないと判断された場合にのみ、テレビジョン放送波に含まれるＲＲＴが取得されて、ＲＲＴデータファイル１４Ｂに記憶されるので、受信したＲＲＴが既に記憶されているか否かが、ＲＲＴのレイティング名及びバージョンに基づいて判断され、受信したＲＲＴが既に記憶されている場合にはＲＲＴデータファイル１４Ｂが更新されないこととなって、無駄にＲＲＴデータファイル１４Ｂを更新することを防ぐことができる。
【００７７】
また、ＣＰＵ１２が表示制御プログラム１４Ｆを実行することにより、ＲＲＴデータファイル１４Ｂに記憶されたレイティング情報が表示部９に表示され、リモコンＲにより、表示部９に表示されたレイティング情報に基づいて視聴制限情報を設定する設定情報が入力されるので、ＲＲＴを取得すると、ユーザがなんら操作することなくＲＲＴに基づくレイティング情報が表示部９に表示され、当該表示において、視聴制限情報が設定することができるので、より使い勝手がよい。
【００７８】
なお、本発明のテレビジョン放送受信装置は、映像音声信号に基づく映像及び音声の視聴を制限するものであれば何であってもよく、例えば、デジタルテレビ、セットトップボックス等の放送受信装置でもよい。
【図面の簡単な説明】
【００７９】
【図１】本発明の第１の実施形態に係るテレビジョン放送受信装置の概略構成を示す図である。
【図２】本発明の第１の実施形態に係るテレビジョン放送受信装置の構成を示すブロック図である。
【図３】本発明に係るＲＲＴの一例を説明する図である。
【図４】本発明に係る表示部に表示されるＲＲＴに基づくレイティング情報の一例を示す図である。
【図５】本発明の第１の実施形態に係るテレビジョン放送受信装置のオートプリセット動作の一例を説明するフローチャートである。
【図６】本発明の第２の実施形態に係るテレビジョン放送受信装置の構成を示すブロック図である。
【図７】本発明の第２の実施形態に係るテレビジョン放送受信装置のオートプリセット動作の一例を説明するフローチャートである。
【符号の説明】
【００８０】
１  アンテナ（受信手段）
１２  ＣＰＵ（オートプリセット手段，レイティングテーブル取得手段，レイティングテーブル名比較手段，バージョン比較手段，表示制御手段）
１４  記憶部（レイティングテーブル記憶手段，完了情報記憶手段）
１４Ｂ  ＲＲＴデータファイル（レイティングテーブル記憶手段）
１４Ｄ  オートプリセットプログラム（オートプリセット手段）
１４Ｅ，１４０Ｃ  ＲＲＴ取得プログラム（レイティングテーブル取得手段）
１４Ｆ  表示制御プログラム（表示制御手段）
１４０  記憶部（レイティングテーブル記憶手段）
１４０Ａ  ＲＲＴ名比較プログラム（レイティングテーブル名比較手段）
１４０Ｂ  バージョン比較プログラム（バージョン比較手段）
１００，２００  テレビジョン放送受信装置
Ｒ  リモコン（入力手段）
【図１】
2008109470.tif 000003
【図２】
2008109470.tif 000004
【図３】
2008109470.tif 000005
【図４】
2008109470.tif 000006
【図５】
2008109470.tif 000007
【図６】
2008109470.tif 000008
【図７】
2008109470.tif 000009